(57)【要約】【課題】両支持体の適切な補強機能を維持しつつ、鍵盤楽器本体と両支持体との位置関係の精度を高めるような設計を容易にする。【解決手段】鍵盤楽器本体３０は、その左右端部３０ａ、３０ｂが、一対の左側支持体１０Ｌ及び右側支持体１０Ｒに支持される。左右の両支持体１０Ｌ、１０Ｒは框２０で連結される。両支持体１０Ｌ、１０Ｒの側板１１Ｌ、１１Ｒの各内側面１１ｂＬ、１１ｂＲには、第１固定部材１４Ｌ、１４Ｒが設けられ、第１固定部材１４Ｌ、１４Ｒは、３つの長穴１４ｃが形成された突設片１４ａＬ、１４ａＲを有する。框２０の左端部２０ａ、右端部２０ｂは、突設片１４ａＬ、１４ａＲの各長穴１４ｃを介して、ネジ１６を框２０のネジ穴２１に螺合することで、第１固定部材１４Ｌ、１４Ｒにそれぞれ固定される。その際、長穴１４ｃとネジ穴２１とが一致する範囲で、框２０の位置を調節可能である。【選択図】図２
2010032624.tif 000002
【特許請求の範囲】
【請求項１】
複数の鍵を有する鍵盤楽器本体と、
前記鍵盤楽器本体の左右端部を支持する一対の左側支持体及び右側支持体と、
前記左右の両支持体を連結する連結材とを有し、
前記連結材は、前記両支持体に対して、前記鍵盤楽器の鍵並び方向における位置がそれぞれ調節可能に連結されたことを特徴とする鍵盤楽器。
【請求項２】
前記両支持体と前記鍵盤楽器本体との鍵並び方向における相対的位置を規定する位置決め部を有することを特徴とする請求項１記載の鍵盤楽器。
【請求項３】
前記鍵盤楽器本体の、前記左側支持体及び前記右側支持体に対する鍵並び方向における相対的位置が調節可能な量よりも、前記連結材の、前記左側支持体及び前記右側支持体に対する鍵並び方向における相対的位置が調節可能な量の方が大きいことを特徴とする請求項１記載の鍵盤楽器。
【請求項４】
前記左側支持体及び前記右側支持体の互いに対向する各内側面には、鍵並び方向に平行に突設された突設片を有する固定部材がそれぞれ設けられ、前記両固定部材の各突設片及び前記連結材のいずれか一方に、鍵並び方向に長い長穴が設けられ、該長穴を介して、前記連結材が、鍵並び方向における位置が調節可能なように、固着部材で前記両突設片に対して固定されることで、前記連結材が、前記両支持体に対して、前記鍵盤楽器の鍵並び方向における位置がそれぞれ調節可能に連結されたことを特徴とする請求項１〜３のいずれか１項に記載の鍵盤楽器。
【発明の詳細な説明】
【技術分野】
【０００１】
本発明は、鍵盤楽器本体が一対の左側支持体及び右側支持体で支持される鍵盤楽器に関する。
【背景技術】
【０００２】
従来、鍵盤楽器本体の左右端部を一対の左側支持体及び右側支持体で支持するようにした鍵盤楽器が知られている。この種の楽器において、左右の両支持体を補強する等のために、両支持体間に、背板や框等の連結材が架け渡されるものがある（下記特許文献１、２）。
【０００３】
下記特許文献１に示される従来の技術、及び下記特許文献２では、両支持体の内側面に、締結用の丸穴が形成されたＬ字の固定部材が設けられると共に、連結材にネジ穴が設けられ、固定部材の丸穴を介してネジで連結材のネジ穴に螺合されることで、両支持体が連結材で連結固定される。
【０００４】
この種の楽器においては、組み立て時において、両支持体を連結材で先に連結固定し、その後に、両支持体の上端部に楽器本体を配設固定するのが通常である。
【特許文献１】実開平５−８１８９１号公報
【特許文献２】実用新案登録第２５６８９４０号公報
【発明の開示】
【発明が解決しようとする課題】
【０００５】
しかしながら、上記従来の楽器では、両支持体の間隔が連結材の長さで決まってしまうので、楽器本体を両支持体に支持させる際に、仮に、楽器本体と両支持体の左右端位置同士を面一にしたい場合は、両支持体の間隔の精度を非常に高くすると共に、楽器本体と両支持体との固定の位置精度も高くする必要がある。
【０００６】
ところが、通常、そのような高い精度を持たせるのが困難であることから、楽器本体が両支持体に確実に支持されることを確保するために、楽器本体の外側面が両支持体の外側面よりも左右に突出するように構成することが、設計上、容易である。そのため、楽器本体と両支持体の外側面同士は面一とならず、段差が生じるのが通常であった。すなわち、鍵盤楽器本体と両支持体との位置関係を優先して、精度を高く設計することは困難であった。
【０００７】
本発明は上記従来技術の問題を解決するためになされたものであり、その目的は、両支持体の適切な補強機能を維持しつつ、鍵盤楽器本体と両支持体との位置関係の精度を高めるような設計を容易にすることができる鍵盤楽器を提供することにある。
【課題を解決するための手段】
【０００８】
上記目的を達成するために本発明の請求項１の鍵盤楽器は、複数の鍵を有する鍵盤楽器本体（３０）と、前記鍵盤楽器本体の左右端部（３０ａ、３０ｂ）を支持する一対の左側支持体（１０Ｌ）及び右側支持体（１０Ｒ）と、前記左右の両支持体を連結する連結材（２０）とを有し、前記連結材は、前記両支持体に対して、前記鍵盤楽器の鍵並び方向における位置がそれぞれ調節可能に連結されたことを特徴とする。
【０００９】
好ましくは、前記両支持体と前記鍵盤楽器本体との鍵並び方向における相対的位置を規定する位置決め部（１５ｂＬ、１５ｂＲ、１７）を有する（請求項２）。
【００１０】
好ましくは、前記鍵盤楽器本体の、前記左側支持体及び前記右側支持体に対する鍵並び方向における相対的位置が調節可能な量よりも、前記連結材の、前記左側支持体及び前記右側支持体に対する鍵並び方向における相対的位置が調節可能な量の方が大きい（請求項３）。
【００１１】
好ましくは、前記左側支持体及び前記右側支持体の互いに対向する各内側面（１１ｂＬ、１１ｂＲ）には、鍵並び方向に平行に突設された突設片（１４ａＬ、１４ａＲ）を有する固定部材（１４Ｌ、１４Ｒ）がそれぞれ設けられ、前記両固定部材の各突設片及び前記連結材のいずれか一方に、鍵並び方向に長い長穴（１４ｃ）が設けられ、該長穴を介して、前記連結材が、鍵並び方向における位置が調節可能なように、固着部材（１６）で前記両突設片に対して固定されることで、前記連結材が、前記両支持体に対して、前記鍵盤楽器の鍵並び方向における位置がそれぞれ調節可能に連結される（請求項４）。
【００１２】
なお、上記括弧内の符号は例示である。
【発明の効果】
【００１３】
本発明の請求項１によれば、両支持体の適切な補強機能を維持しつつ、鍵盤楽器本体と両支持体との位置関係の精度を高めるような設計を容易にすることができる。
【００１４】
請求項２によれば、鍵盤楽器本体を、両支持体に対して、設計で定めた所望の位置関係で支持させることができる。
【００１５】
請求項３によれば、両支持体の適切な補強機能を維持しつつ、鍵盤楽器本体と両支持体との位置関係を優先して決めることができる。
【００１６】
請求項４によれば、簡単な構成で連結材の位置を調節可能にすることができる。
【発明を実施するための最良の形態】
【００１７】
以下、本発明の実施の形態を図面を参照して説明する。
【００１８】
図１（ａ）は、本発明の一実施の形態に係る鍵盤楽器を後方からみた斜視図である。図１（ｂ）は、同鍵盤楽器の左側面図である。
【００１９】
この鍵盤楽器は、鍵盤楽器本体３０が、スタンド１に支持されてなる。鍵盤楽器本体３０は、複数の鍵からなる鍵盤部３１を備える電子鍵盤楽器として構成される。以降、鍵盤楽器において、左右方向については、奏者側からみた正面視の方向を基準に呼称する。従って、鍵盤部３１の鍵の並び方向が左右方向である。
【００２０】
図２は、本鍵盤楽器の背面図である。スタンド１は、左右一対の左側支持体１０Ｌ及び右側支持体１０Ｒと、これら支持体１０Ｌ、１０Ｒを連結して補強する機能を有する連結材である框２０とを組み付けて構成される。支持体１０Ｌ、１０Ｒは左右対称である。
【００２１】
図３（ａ）、（ｂ）、（ｃ）は、それぞれ、左側支持体１０Ｌの正面図、平面図、右側面図である。代表して、主に左側支持体１０Ｌ及びその近傍の構成を説明する。
【００２２】
図３（ａ）〜（ｃ）に示すように、左側支持体１０Ｌは、平板状の側板１１Ｌを有し、側板１１Ｌの下端には、接地部１３が２カ所に固着されている。側板１１Ｌの上端部には、欠切部１２が形成されている。欠切部１２は、側板１１Ｌの内側面１１ｂＬにおいて、左側支持体１０Ｌの後端から前端の途中まで形成され、底面１２ａ、側面１２ｂ、前端面１２ｃを有する。
【００２３】
側板１１Ｌの内側面１１ｂＬには、第１固定部材１４Ｌが設けられている。欠切部１２には、前後２カ所に、第２固定部材１５Ｌが設けられている。第１固定部材１４Ｌ、第２固定部材１５Ｌは、いずれも金属製でＬ字状に形成されている。
【００２４】
第１固定部材１４Ｌは、固定片１４ｂＬと突設片１４ａＬとで一体に形成される。固定片１４ｂＬが、側板１１Ｌの内側面１１ｂＬに複数（３つ）のネジで固着されることで、第１固定部材１４Ｌが側板１１Ｌに固定される。それにより、突設片１４ａＬは、右方に突出し、左右方向及び上下方向に平行となる。ただし、上下方向に平行となるように構成する必要はない。突設片１４ａＬには、複数（３つ）の長穴１４ｃが形成されている（図３（ａ）参照）。長穴１４ｃの数は問わない。第１固定部材１４Ｌが側板１１Ｌに固定された状態において、長穴１４ｃは、左右方向に長い。
【００２５】
第２固定部材１５Ｌは、第１片１５ａＬと第２片１５ｂＬとで一体に形成される。第１片１５ａＬが、欠切部１２の底面１２ａに当接した状態で、第２片１５ｂＬが、欠切部１２の側面１２ｂに複数（３つ）のネジで固着されることで、第２固定部材１５Ｌが側板１１Ｌに固定される。それにより、第１片１５ａＬは、右方に突出して水平になると共に、第２片１５ｂＬは、上方に突出し、前後方向及び上下方向に平行となる。第１片１５ａＬには、丸い締結用穴１５ｃが各１つ形成されている（図３（ｂ）参照）。
【００２６】
右側支持体１０Ｒについては、左側支持体１０Ｌとは左右対称であるので、図２に示すように、側板１１Ｒの内側面１１ｂＲに設けられる第１固定部材１４Ｒ、側板１１Ｒの欠切部１２に設けられる第２固定部材１５Ｒが、それぞれ、第１固定部材１４Ｌ、第２固定部材１５Ｌに対応する。第１固定部材１４Ｒは、固定片１４ｂＲと突設片１４ａＲとで一体に形成され、第２固定部材１５Ｒは、第１片１５ａＲと第２片１５ｂＲとで一体に形成される。
【００２７】
図２に示すように、鍵盤楽器本体３０は、左端部３０ａ、右端部３０ｂが、それぞれ左側支持体１０Ｌ、右側支持体１０Ｒの各上端部に支持される。また、框２０は、その左端部２０ａ、右端部２０ｂが、左側支持体１０Ｌの第１固定部材１４Ｌ、右側支持体１０Ｒの第１固定部材１４Ｒにそれぞれ固定される。左側支持体１０Ｌ、右側支持体１０Ｒと鍵盤楽器本体３０とは、前後方向の長さが同じであり、それぞれの前端面、後端面が面一になっている（図１（ｂ）参照）。また、各側面の配色も一致させてある。これらにより、それぞれがデザイン的に一体化して見えるようになっている。
【００２８】
図４は、本鍵盤楽器の左端部上部の拡大正面図である。鍵盤楽器の右端部も左右対称で同様に構成されるので、左端部を主体に説明する。
【００２９】
鍵盤楽器本体３０の左端部３０ａには、側板１１Ｌの上端面１１ｃ及び欠切部１２に対応する段差形状が形成されている。また、左端部３０ａには、第２固定部材１５Ｌの第２片１５ｂＬが嵌合するスリット穴１７が形成されている。鍵盤楽器本体３０がスタンド１に配設された状態では、第２片１５ｂＬがスリット穴１７に嵌合すると共に、鍵盤楽器本体３０の下面３０ｃが、第２固定部材１５Ｌの第１片１５ａＬに当接している。
【００３０】
鍵盤楽器本体３０の下面３０ｃには、第１片１５ａＬの締結用穴１５ｃ（図３（ｂ）参照）に対応する位置にネジ穴が形成されており、不図示のネジで、下方から、締結用穴１５ｃを介して第１片１５ａＬと鍵盤楽器本体３０の下面３０ｃとが固定されている。
【００３１】
第２片１５ｂＬとスリット穴１７とが、スタンド１に対する鍵盤楽器本体３０の鍵並び方向（左右方向）における相対的な位置決め機能を果たす。鍵盤楽器本体３０がスタンド１に配設された状態では、図４に示すように、鍵盤楽器本体３０の左端位置ｐＬと側板１１Ｌの外側面１１ａＬとは左右方向の位置が一致するようになっている。右端部においても同様で、鍵盤楽器本体３０の右端位置ｐＲと側板１１Ｒの外側面１１ａＲとは左右方向の位置が一致する（図２参照）。
【００３２】
また、図４に示すように、框２０の左端部２０ａの後面には、第１固定部材１４Ｌの固定片１４ｂＬの長穴１４ｃ（図３（ａ）参照）に対応して、止まり穴であるネジ穴２１が形成されている。鍵盤楽器本体３０がスタンド１に配設された状態において、框２０の長さは、側板１１Ｌの内側面１１ｂＬと側板１１Ｒの内側面１１ｂＲとの間隔よりも少し短い。
【００３３】
図２に示すように、框２０の左端部２０ａ、右端部２０ｂは、固定片１４ｂＬ、１４ｂＲの各長穴１４ｃを介して、ネジ１６をネジ穴２１に螺合することで、第１固定部材１４Ｌ、１４Ｒにそれぞれ固定される。固定される際には、長穴１４ｃとネジ穴２１とが合致する範囲内で、框２０の左右方向の位置を任意に選択でき、固定後においても、ネジ１６を一旦緩めて框２０の左右方向の位置を調節することができる。
【００３４】
図４に示すように、框２０の左端部２０ａと側板１１Ｌの内側面１１ｂＬとの間には隙間が生じ得るが、その隙間に、ウレタン等の埋め込み材２２を介在させ、外観を損なわないようにしている。框２０の右端部２０ｂにおいても同様である。また、欠切部１２は、支持体１０Ｌ、１０Ｒの後端から前端の途中までしか形成されていないので（図３（ｃ）参照）、側面１２ｂに対向する鍵盤楽器本体３０の面の輪郭が前方からは隠れ、見栄えがよくなっている。
【００３５】
この鍵盤楽器の組み立ては、次のような手順でなされる。一般的な組み立てと同様に、スタンド１を先に組み立てておいてから鍵盤楽器本体３０を支持させてもよいが、本実施の形態では、左側支持体１０Ｌ及び右側支持体１０Ｒに鍵盤楽器本体３０を支持させた後に、框２０を左側支持体１０Ｌ及び右側支持体１０Ｒの間に架け渡すようにする。
【００３６】
まず、側板１１Ｌ、１１Ｒに、第１固定部材１４Ｌ、１４Ｒ、第２固定部材１５Ｌ、１５Ｒ、接地部１３を取り付けて、左側支持体１０Ｌ、右側支持体１０Ｒを作製する。次に、側板１１Ｌ、１１Ｒの上端部に鍵盤楽器本体３０の左端部３０ａ、右端部３０ｂを固定する。その際、複数人の作業者がいれば、左側支持体１０Ｌ、右側支持体１０Ｒを真っ直ぐに起立させた状態で鍵盤楽器本体３０を支持、固定してもよい。しかし、本実施の形態では、作業者が１人であることを想定し、一旦、天地を逆にした鍵盤楽器本体３０に対して、左側支持体１０Ｌ、右側支持体１０Ｒを取り付けるという手法をとる。
【００３７】
例えば、鍵盤楽器本体３０の下面３０ｃが上側となり且つ水平となるように、鍵盤楽器本体３０の姿勢を維持する。そのために、専用の治具を設け、その治具の上に鍵盤楽器本体３０を逆さに保持させてもよい。そして、左側支持体１０Ｌ、右側支持体１０Ｒを逆さにして降ろし、鍵盤楽器本体３０の左右の各スリット穴１７（図４参照）に、第２固定部材１５Ｌ、１５Ｒの対応する第２片１５ｂＬ、１５ｂＲを挿入、嵌合する。そして、鍵盤楽器本体３０の下面３０ｃを、第２固定部材１５Ｌ、１５Ｒの第１片１５ａＬ、１５ａＲに当接させたら、不図示のネジで、締結用穴１５ｃ（図３（ｂ）参照）を介して第１片１５ａＬ、１５ａＲと鍵盤楽器本体３０の下面３０ｃとを螺着固定する。
【００３８】
次に、鍵盤楽器本体３０を支持した状態となった左側支持体１０Ｌ及び右側支持体１０Ｒを起こし、接地部１３を床面に接地させる。そして、突設片１４ａＬ、１４ａＲの各長穴１４ｃを介して、後方から、框２０の左端部２０ａ、右端部２０ｂのネジ穴２１にネジ１６を螺合することで、左端部２０ａ、右端部２０ｂを第１固定部材１４Ｌ、１４Ｒにそれぞれ固定する。その際、框２０の左右方向における位置を適切に設定し、例えば、左端部２０ａと側板１１Ｌの内側面１１ｂＬとの隙間と、右端部２０ｂと側板１１Ｒの内側面１１ｂＲとの隙間が均等になるようにする。その後、左右の両隙間を埋め込み材２２で埋める。
【００３９】
上述したように、鍵盤楽器本体３０と左側支持体１０Ｌ及び右側支持体１０Ｒとの左右方向の位置関係は、スリット穴１７と第２片１５ｂＬ、１５ｂＲとの係合で規定される（図４参照）。従って、両者の設計上の嵌合の許容度合いや製造上の精度によって、左右方向における多少の位置の選択は実質的に可能ではあるが、それは、意図的な調節範囲を設けたというものではない。これに対し、左側支持体１０Ｌ及び右側支持体１０Ｒに対する框２０の左右方向における位置調節機構は、意図的に設けたものであり、その調節可能範囲は、鍵盤楽器本体３０と左側支持体１０Ｌ及び右側支持体１０Ｒとの位置選択範囲（乃至実質的な調節可能範囲）に比し、圧倒的に大きいものである。従って、組み立て時において、両支持体１０Ｌ、１０Ｒの適切な補強機能を維持しつつ、鍵盤楽器本体３０と両支持体１０Ｌ、１０Ｒとの位置関係を優先して決めることができる。
【００４０】
本実施の形態によれば、框２０を、第１固定部材１４Ｌ、１４Ｒを介して、左側支持体１０Ｌ及び右側支持体１０Ｒに対して、鍵並び方向における位置が調節可能なように連結したので、両支持体１０Ｌ、１０Ｒの適切な補強機能を維持しつつ、鍵盤楽器本体３０と両支持体１０Ｌ、１０Ｒとの位置関係の精度を高めるような設計を容易にすることができる。例えば、本実施の形態では、鍵盤楽器本体３０と左側支持体１０Ｌ及び右側支持体１０Ｒとの位置決めを優先し、鍵盤楽器本体３０の左端位置ｐＬ、右端位置ｐＲと側板１１Ｌ、１１Ｒの外側面１１ａＬ、１１ａＲとの左右方向の位置を一致させることが可能となり、段差が生じない。
【００４１】
しかも、スリット穴１７と第２片１５ｂＬ、１５ｂＲとが、鍵盤楽器本体３０と両支持体１０Ｌ、１０Ｒとの左右方向の位置決め機能を果たすので、鍵盤楽器本体３０を、両支持体１０Ｌ、１０Ｒに対して、設計で定めた所望の位置関係で支持させることができる。
【００４２】
また、框２０の両支持体１０Ｌ、１０Ｒに対する位置調節機構は、突設片１４ａＬ、１４ａＲに設けた長穴１４ｃを用いたものであり、簡単な構成で済む。
【００４３】
また、第１固定部材１４Ｌ、１４ＲはＬ字金具であり、奏者側からは、框２０及び埋め込み材２２によって隠れるので、Ｔ字状に比し、外観を悪化させないだけでなく、配設スペースも小さくて済む。
【００４４】
なお、本実施の形態では、長穴１４ｃを、第１固定部材１４Ｌ、１４Ｒの突設片１４ａＬ、１４ａＲに設けたが、これとは逆に、長穴１４ｃに相当する長穴を框２０の側に設けると共に、ネジ穴２１に相当するネジ穴を突設片１４ａＬ、１４ａＲに設けてもよい。また、框２０と第１固定部材１４Ｌ、１４Ｒとを固着する固着部材は、ネジ１６に限られず、長穴１４ｃを介して固着できる部材であればよい。
【００４５】
なお、鍵盤楽器本体３０と両支持体１０Ｌ、１０Ｒとの左右方向の位置決め機構は、スリット穴１７と第２片１５ｂＬ、１５ｂＲという組み合わせに限られない。例えば、欠切部１２の側面１２ｂ（図４参照）と、それに対向する鍵盤楽器本体３０の面との当接によって、位置を規制するようにしてもよい。
【００４６】
また、本実施の形態では、鍵盤楽器本体３０の位置調節機構は設けなかったが、設けてもよい。例えば、スリット穴１７と第２片１５ｂＬ、１５ｂＲという位置決め機構を廃止すると共に、締結用穴１５ｃ（図３（ｂ）参照）を鍵並び方向に長い長穴とする。鍵盤楽器本体３０の組み付け時には、鍵盤楽器本体３０の左端位置ｐＬ、右端位置ｐＲと側板１１Ｌ、１１Ｒの外側面１１ａＬ、１１ａＲとの左右方向の位置は、目測、あるいは治具を用いて合わせてから、螺合締結を行う。
【００４７】
なお、側板１１Ｌ、１１Ｒに対する框２０の固定位置は問わない。また、側板１１Ｌ、１１Ｒに対して框２０の左右方向の相対的な位置が調節可能に連結される構成であればよく、第１固定部材１４Ｌ、１４Ｒを介した連結に限られない。
【図面の簡単な説明】
【００４８】
【図１】本発明の一実施の形態に係る鍵盤楽器を後方からみた斜視図（図（ａ））、同鍵盤楽器の左側面図（図（ｂ））である。
【図２】本鍵盤楽器の背面図である。
【図３】左側支持体の正面図（図（ａ））、平面図（図（ｂ））、右側面図（図（ｃ））である。
【図４】本鍵盤楽器の左端部上部の拡大正面図である。
【符号の説明】
【００４９】
１  スタンド、  １０Ｌ  左側支持体、  １０Ｒ  右側支持体、  １１Ｌ、１１Ｒ  側板、  １１ｂＬ、１１ｂＲ  内側面、  １４Ｌ、１４Ｒ  第１固定部材（固定部材）、  １４ａＬ、１４ａＲ  突設片、  １４ｃ  長穴、  １５ｂＬ、１５ｂＲ  第２片（位置決め部）、  １６  ネジ（固着部材）、  １７  スリット穴（位置決め部）、  ２０  框（連結材）、  ３０  鍵盤楽器本体、  ３０ａ  左端部、  ３０ｂ  右端部
【図１】
2010032624.tif 000003
【図２】
2010032624.tif 000004
【図３】
2010032624.tif 000005
【図４】
2010032624.tif 000006